【手続補正書】
【提出日】平成27年6月16日(2015.6.16)
【手続補正１】
【補正対象書類名】特許請求の範囲
【補正対象項目名】全文
【補正方法】変更
【補正の内容】
【特許請求の範囲】
【請求項１】
セルラー通信システムにおいてホストセルにサービスを提供するネットワークノードを動作させる方法であって、
１つ以上の第１タイムインターバルにおいて、無線周波数リソースの第１帯域幅にわたって延在する第１制御チャネルで第１制御チャネル情報を送信するステップであって、当該第１制御チャネルは第１タイプの通信デバイスに前記ホストセルとの接続を確立させるために必要となる情報を通信するものであり、当該第１タイプの通信デバイスは前記無線周波数リソースにおける前記第１帯域幅を有する信号を受信できるものである、当該ステップと、
１つ以上の第２タイムインターバルにおいて、前記無線周波数リソースにおける前記第１帯域幅の一部分を占有するマスター情報ブロックを送信するステップであって、前記無線周波数リソースにおける前記第１帯域幅の前記一部分は、前記第１帯域幅よりも狭い第２帯域幅を有しているとともに、前記第１タイプの通信デバイスと比較して受信可能帯域幅が削減されている第２タイプの通信デバイスによって受信可能なものである、当該ステップと、
を有し、
前記マスター情報ブロックは、第１部分と第２部分とを有しており、当該第１部分は、前記第１タイプの通信デバイスが前記ホストセルと接続を確立するために必要となる第１部分情報を有しており、当該第２部分は、第２タイプの通信デバイスが前記ホストセルと接続を確立できるようにするためのパラメータを、当該第２タイプの通信デバイスが取得できるようにするための追加情報が送信されるタイミングおよび／または周波数位置を直接的にまたは間接的に識別する第２部分情報を有しており、かつ／または、当該第２部分情報は、前記第２タイプの通信デバイスに前記ホストセルに対するランダムアクセス手順を実行させるようにするパラメータを提供することを特徴とする方法。
【請求項２】
前記ホストセルに対するランダムアクセス手順を前記第２タイプの通信デバイスに実行させるようにする前記パラメータは、前記ランダムアクセス手順を実行している間に使用されることになるランダムアクセスチャネルシーケンスを含んでいることを特徴とする請求項１に記載の方法。
【請求項３】
前記ホストセルに対するランダムアクセス手順を前記第２タイプの通信デバイスに実行させるようにする前記パラメータは、前記ホストセルに対するランダムアクセス手順を前記第２タイプの通信デバイスが実行できる１つ以上のタイミングおよび周波数位置を識別するための情報を含んでいることを特徴とする請求項１に記載の方法。
【請求項４】
拡張ブロードキャスト情報は、特別なシステム情報ブロック（Ｍ−ＳＩＢ）が送信されるタイミングおよび周波数位置を識別する情報であり、当該Ｍ−ＳＩＢは、前記第２タイプの通信デバイスによって使用される情報を含むシステム情報ブロックであることを特徴とする請求項１に記載の方法。
【請求項５】
拡張ブロードキャスト情報は、特別なシステム情報ブロック（Ｍ−ＳＩＢ）が送信されるときに使用される変調符号化方式を識別する情報であり、当該Ｍ−ＳＩＢは、前記第２タイプの通信デバイスによって使用される情報を含むシステム情報ブロックであることを特徴とする請求項１または４に記載の方法。
【請求項６】
拡張ブロードキャスト情報は、前記第２タイプの通信デバイスによって受信可能となるように適合した制御チャネルであることを特徴とする請求項１、４または５に記載の方法。
【請求項７】
前記第２タイプの通信デバイスによって受信可能となるように適合した前記制御チャネルは、前記第２タイプの通信デバイスによって受信可能となるように適合した特別なシステム情報ブロック（Ｍ−ＳＩＢ）を前記第２タイプの通信デバイスによって受信させるようにするための情報を含んでおり、当該Ｍ−ＳＩＢは、前記第２タイプの通信デバイスによって使用される情報を含むシステム情報ブロックであることを特徴とする請求項６に記載の方法。
【請求項８】
前記第２部分情報は、拡張ブロードキャスト情報が送信されたかどうかを検出するブラインド復号手順において前記第２タイプの通信デバイスによって使用されるタイミング、周波数リソース、変調方式および符号化方式のセットを含むことを特徴とする請求項１に記載の方法。
【請求項９】
前記セルラー通信システムはロングタームエボリューション（ＬＴＥ）規格にしたがって動作し、前記拡張ブロードキャスト情報は、システム情報ブロック（ＳＩＢ）、前記第２タイプの通信デバイスによって使用されるように適合した特別なＳＩＢ（Ｍ−ＳＩＢ）、および、前記第２タイプの通信デバイスによって使用されるように適合した特別な物理ダウンリンク制御チャネル（Ｍ−ＰＤＣＣＨ）のうちいずれか１つであることを特徴とする請求項８に記載の方法。
【請求項１０】
前記マスター情報ブロックの前記第２部分は、前記第２タイプの通信デバイスがどのようにしたら当該第２タイプの通信デバイスに固有の情報を取得できるかを示すように符号化されたフィールドを含むことを特徴とする請求項１に記載の方法。
【請求項１１】
前記第２タイプの通信デバイスがどのようにしたら当該第２タイプの通信デバイスに固有の情報を取得できるかを示すように符号化された前記フィールドは、タイミングと周波数位置とについての予め定められたセットのうちの１つであって、当該第２タイプの通信デバイスに固有の情報が配置されているタイミングと周波数位置とを示していることを特徴とする請求項１０に記載の方法。
【請求項１２】
セルラー通信システムにおいてホストセルにサービスを提供するネットワークノードを動作させる装置であって、
１つ以上の第１タイムインターバルにおいて、無線周波数リソースの第１帯域幅にわたって延在する第１制御チャネルで第１制御チャネル情報を送信する回路であって、当該第１制御チャネルは第１タイプの通信デバイスに前記ホストセルとの接続を確立させるために必要となる情報を通信するものであり、当該第１タイプの通信デバイスは前記無線周波数リソースにおける前記第１帯域幅を有する信号を受信できるものである、当該回路と、
１つ以上の第２タイムインターバルにおいて、前記無線周波数リソースにおける前記第１帯域幅の一部分を占有するマスター情報ブロックを送信する回路であって、前記無線周波数リソースにおける前記第１帯域幅の前記一部分は、前記第１帯域幅よりも狭い第２帯域幅を有しているとともに、前記第１タイプの通信デバイスと比較して受信可能帯域幅が削減されている第２タイプの通信デバイスによって受信可能なものである、当該回路と、
を有し、
前記マスター情報ブロックは、第１部分と第２部分とを有しており、当該第１部分は、前記第１タイプの通信デバイスが前記ホストセルと接続を確立するために必要となる第１部分情報を有しており、当該第２部分は、第２タイプの通信デバイスが前記ホストセルと接続を確立できるようにするためのパラメータを、当該第２タイプの通信デバイスが取得できるようにするための追加情報が送信されるタイミングおよび／または周波数位置を直接的にまたは間接的に識別する第２部分情報を有しており、かつ／または、当該第２部分情報は、前記第２タイプの通信デバイスに前記ホストセルに対するランダムアクセス手順を実行させるようにするパラメータを提供することを特徴とする装置。
【請求項１３】
前記ホストセルに対するランダムアクセス手順を前記第２タイプの通信デバイスに実行させるようにする前記パラメータは、前記ランダムアクセス手順を実行している間に使用されることになるランダムアクセスチャネルシーケンスを含んでいることを特徴とする請求項１２に記載の装置。
【請求項１４】
前記ホストセルに対するランダムアクセス手順を前記第２タイプの通信デバイスに実行させるようにする前記パラメータは、前記ホストセルに対するランダムアクセス手順を前記第２タイプの通信デバイスが実行できる１つ以上のタイミングおよび周波数位置を識別するための情報を含んでいることを特徴とする請求項１２に記載の装置。
【請求項１５】
拡張ブロードキャスト情報は、特別なシステム情報ブロック（Ｍ−ＳＩＢ）が送信されるタイミングおよび周波数位置を識別する情報であり、当該Ｍ−ＳＩＢは、前記第２タイプの通信デバイスによって使用される情報を含むシステム情報ブロックであることを特徴とする請求項１２に記載の装置。
【請求項１６】
拡張ブロードキャスト情報は、特別なシステム情報ブロック（Ｍ−ＳＩＢ）が送信されるときに使用される変調符号化方式を識別する情報であり、当該Ｍ−ＳＩＢは、前記第２タイプの通信デバイスによって使用される情報を含むシステム情報ブロックであることを特徴とする請求項１２または１５に記載の装置。
【請求項１７】
拡張ブロードキャスト情報は、前記第２タイプの通信デバイスによって受信可能となるように適合した制御チャネルであることを特徴とする請求項１２、１５または１６に記載の装置。
【請求項１８】
前記第２タイプの通信デバイスによって受信可能となるように適合した前記制御チャネルは、前記第２タイプの通信デバイスによって受信可能となるように適合した特別なシステム情報ブロック（Ｍ−ＳＩＢ）を前記第２タイプの通信デバイスによって受信させるようにするための情報を含んでおり、当該Ｍ−ＳＩＢは、前記第２タイプの通信デバイスによって使用される情報を含むシステム情報ブロックであることを特徴とする請求項１７に記載の装置。
【請求項１９】
前記第２部分情報は、拡張ブロードキャスト情報が送信されたかどうかを検出するブラインド復号手順において前記第２タイプの通信デバイスによって使用されるタイミング、周波数リソース、変調方式および符号化方式のセットを含むことを特徴とする請求項１２に記載の装置。
【請求項２０】
前記セルラー通信システムはロングタームエボリューション（ＬＴＥ）規格にしたがって動作し、前記拡張ブロードキャスト情報は、システム情報ブロック（ＳＩＢ）、前記第２タイプの通信デバイスによって使用されるように適合した特別なＳＩＢ（Ｍ−ＳＩＢ）、および、前記第２タイプの通信デバイスによって使用されるように適合した特別な物理ダウンリンク制御チャネル（Ｍ−ＰＤＣＣＨ）のうちいずれか１つであることを特徴とする請求項１９に記載の装置。
【請求項２１】
前記マスター情報ブロックの前記第２部分は、前記第２タイプの通信デバイスがどのようにしたら当該第２タイプの通信デバイスに固有の情報を取得できるかを示すように符号化されたフィールドを含むことを特徴とする請求項１２に記載の装置。
【請求項２２】
前記第２タイプの通信デバイスがどのようにしたら当該第２タイプの通信デバイスに固有の情報を取得できるかを示すように符号化された前記フィールドは、タイミングと周波数位置とについての予め定められたセットのうちの１つであって、当該第２タイプの通信デバイスに固有の情報が配置されているタイミングと周波数位置とを示していることを特徴とする請求項２１に記載の装置。